(57)【要約】【課題】清掃を行いやすい医療用機器を提供することを目的とする。【解決手段】噴霧装置１は、上方から下方に向かうように形成された一つの連続した曲面により構成される前面１５から前方に突出するように設けられ、患者に施す治療に使用される部材を支持する薬液台２１と、前面１５上において薬液台２１よりも上方に設けられ、治療に関する操作を受け付けるＵＩ２４と、前面１５上において薬液台２１よりも下方に設けられ、治療に使用され且つメンテナンスを要する部材が収容された収容室の開口を塞ぐメンテナンス用扉２６と、を備える。【選択図】図２
2014221174.tif 000002
【特許請求の範囲】
【請求項１】
上方から下方に向かうように形成された一つの連続した曲面から前方に突出するように設けられ、患者に施す治療に使用される部材を支持する支持台と、
前記曲面上において前記支持台よりも上方に設けられ、前記治療に関する操作を受け付ける操作受付部と、
前記曲面上において前記支持台よりも下方に設けられ、前記治療に使用され且つメンテナンスを要する部材が収容された収容室の開口を塞ぐメンテナンス用扉と、
を備える医療用機器。
【請求項２】
前記曲面のうち前記支持台よりも上方に位置する部位は、上方に向かうに従い後方に傾斜して設けられることを特徴とする請求項１記載の医療用機器。
【請求項３】
前記曲面のうち前記支持台よりも下方に位置する部位は、当該曲面における当該支持台が取り付けられる部位よりも前方に突出して設けられることを特徴とする請求項１記載の医療用機器。
【請求項４】
前記曲面のうち前記支持台よりも上方に位置する部位には、前記治療に使用される部材が接続される接続部が設けられ、
前記接続部は、前方且つ上方に突出するように設けられること、
を特徴とする請求項１記載の医療用機器。
【請求項５】
前記治療に使用される空気中に含まれる異物を除去するエアフィルターと、
前記エアフィルターの寿命をユーザに通知する通知手段と、
を更に備えることを特徴とする請求項１記載の医療用機器。
【発明の詳細な説明】
【技術分野】
【０００１】
本発明は、医療用機器に関する。
【背景技術】
【０００２】
特許文献１には、医療用機器として機能するネブライザキャビネットが開示されている。このネブライザキャビネットでは、キャビネット本体内部に薬液収容部を設けた噴霧装置を内蔵し、加圧空気を噴霧装置内に導入し、薬液収容部内の薬液と混合して噴霧状態にして噴霧する。
【先行技術文献】
【特許文献】
【０００３】
【特許文献１】特開２００９−１１６６９号公報
【発明の概要】
【発明が解決しようとする課題】
【０００４】
医療用機器は、病院等において患者に対する診断や治療に用いられ、一般に、他の用途の機器に比べて清潔さが求められる。このように清潔さが求められる医療用機器では、他の機器と比較して頻繁に清掃が行われることになる。
ここで、医療用機器の外表面に凹凸が多く存在する場合、汚れがこの凹凸に溜まりやすくなる。この結果、外表面に凹凸が少ない場合と比較して、医療用機器の清潔さが低下しやすい。また、医療用機器の清掃は、例えばその外表面を柔らかい布やスポンジ等で払拭することにより行うが、医療用機器の外表面に凹凸が多く存在する場合、凹凸が少ない場合と比較して、医療用機器の清掃が困難になりやすい。
【０００５】
本発明は、清掃を行いやすい医療用機器を提供することを目的とする。
【課題を解決するための手段】
【０００６】
かかる目的のもと、本発明が適用される医療用機器は、上方から下方に向かうように形成された一つの連続した曲面から前方に突出するように設けられ、患者に施す治療に使用される部材を支持する支持台と、前記曲面上において前記支持台よりも上方に設けられ、前記治療に関する操作を受け付ける操作受付部と、前記曲面上において前記支持台よりも下方に設けられ、前記治療に使用され且つメンテナンスを要する部材が収容された収容室の開口を塞ぐメンテナンス用扉と、を備える医療用機器である。
ここで、前記曲面のうち前記支持台よりも上方に位置する部位は、上方に向かうに従い後方に傾斜して設けられることを特徴とすることができる。この場合、本構成を採用しない場合と比較して、ユーザによる操作受付部の操作が容易になる。
また、前記曲面のうち前記支持台よりも下方に位置する部位は、当該曲面における当該支持台が取り付けられる部位よりも前方に突出して設けられることを特徴とすることができる。この場合、本構成を採用しない場合と比較して、ユーザによるメンテナンス扉の開閉が容易になり、メンテナンスを要する部材に対するメンテナンス作業を行いやすくなる。
さらに、前記曲面のうち前記支持台よりも上方に位置する部位には、前記治療に使用される部材が接続される接続部が設けられ、前記接続部は、前方且つ上方に突出するように設けられることを特徴とすることができる。この場合、本構成を採用しない場合と比較して、接続部に対する治療に要する部材の接続を行いやすくなる。
さらにまた、前記治療に使用される空気中に含まれる異物を除去するエアフィルターと、前記エアフィルターの寿命をユーザに通知する通知手段と、を更に備えることを特徴とすることができる。これにより、ユーザがエアフィルターの寿命を知ることが可能になる。
【発明の効果】
【０００７】
本発明によれば、清掃を行いやすい医療用機器を提供することが可能になる。
【図面の簡単な説明】
【０００８】
【図１】耳鼻咽喉科で用いられる噴霧装置（ネブライザー）の斜視図である。
【図２】噴霧装置を側方から見た側面図である。
【図３】薬液台上に置かれる薬液霧発生装置を示した図である。
【図４】ＵＩを説明するための図である。
【図５】噴霧装置の上面に設けられた収容室を上方から眺めた場合の図である。
【図６】メンテナンス用扉の内部の状態を示した図である。
【図７】、図６におけるＶＩＩ−ＶＩＩ線における噴霧装置の断面図である。
【図８】図１にて符号１Ａで示す部分を矢印１Ｃで示す方向から眺めた場合の図である。
【図９】収容室、および、収容室の開口を塞ぐ蓋部材を説明するための図である。
【図１０】蓋部材を持ち上げた後の状態を示した図である。
【図１１】本実施形態の噴霧装置を用いてユーザに薬液の噴霧を行う際の状態を示した図である。
【発明を実施するための形態】
【０００９】
以下、添付図面を参照して、本発明の実施の形態について詳細に説明する。
図１は、耳鼻咽喉科で用いられる噴霧装置（ネブライザー）１の斜視図である。また、図２は、噴霧装置１を側方（図１における右側面１４側）から見た側面図である。
医療用機器の一例としてのこの噴霧装置１は、箱状に形成されている。そして、噴霧装置１は、後述する蓋部材２９が設けられる上面１１と、上面１１に対向して設けられ、後述する支持脚２２が設けられる底面１２とを備えている。また、噴霧装置１は、互いに対向して設けられ、後述するコード取り出し口２３がそれぞれ設けられる左側面１３および右側面１４を備えている。さらに、噴霧装置１は、噴霧装置１による診療を受ける患者が対向する前面１５と、前面１５と対向して設けられる背面１６を備えている。
ここで、本実施形態の噴霧装置１では、上面１１、底面１２、左側面１３、右側面１４および背面１６は、平面により構成されている。これに対し、前面１５は、図２に示すように、上面１１側から底面１２側に向かうように形成された、一つの連続した曲面により構成されている。
【００１０】
また、噴霧装置１には、薬液が置かれる支持台の一例としての薬液台２１が設けられている。この薬液台２１は、噴霧装置１の幅方向に沿って配置され、また、噴霧装置１の前面１５に取り付けられている。前面１５において薬液台２１が取り付けられる位置を、図２に示すように、取り付け部２Ａと呼ぶことがある。なお、詳細については後段で説明するが、本実施形態の前面１５は、取り付け部２Ａよりも上方に位置する上方部１５Ａと、取り付け部２Ａよりも下方に位置する下方部１５Ｂとを有している。
薬液台２１の最上部には、ガラス製の天板２１Ａが設けられている。これにより、薬液台２１の清掃を行いやすくなっている。
【００１１】
噴霧装置１の幅方向における一端および他端には、噴霧装置１を支持する支持脚２２が設けられている。
噴霧装置１の右側面１４には、電源コードの取り出しに用いられるコード取り出し口２３が設けられている。なお、図示は省略するが、このコード取り出し口２３は、左側面１３にも設けられており、本実施形態では、左側面１３および右側面１４の何れか一方から、電源コードを取り出せるようになっている。
また、本実施形態では、「開始します」、「終了します」などの音声ガイダンスを行うためのスピーカー（不図示）が設けられている。
【００１２】
なお、本実施形態の噴霧装置１では、同時に、３人の患者に対する薬液の提供（噴霧）を行えるようになっており、薬液の噴霧のためのユニット（以下、「噴霧用ユニット」と称する）が３人分（３組）用意されている。具体的には、本実施形態の噴霧装置１では、噴霧用ユニット１０Ａ〜１０Ｃが設けられている。なお、薬液台２１については共用される形となっており、薬液台２１は、３つの噴霧用ユニット１０Ａ〜１０Ｃを横断する形で設けられている。なお、本実施形態では、このように薬液台２１を、３つの噴霧用ユニット１０Ａ〜１０Ｃを横断するように設けることで、ユーザが噴霧装置１全体として一体感を感じられるようにしている。
【００１３】
噴霧用ユニット１０Ａ〜１０Ｃについて詳細に説明する。なお、噴霧用ユニット１０Ａ〜１０Ｃの各々は同様に構成されており、ここでは、噴霧用ユニット１０Ｂについて説明する。
噴霧用ユニット１０Ｂの上部（上面１１が位置する箇所）には、エアフィルターなどが収容される収容室と、この収容室の上部に形成された矩形状の開口を塞ぐ塞ぎ部材として機能する蓋部材２９とが設けられている。また、噴霧用ユニット１０Ｂの前面（前面１５の上方部１５Ａが位置する箇所）には、ユーザ（患者や看護師）による操作を受け付けるとともにユーザに対する情報の表示を行う操作受付部の一例としてのＵＩ（User Interface）２４が設けられている。
【００１４】
ＵＩ２４の下方には、空気が排出される空気排出部２５が設けられている。この空気排出部２５は、接続部の一例であって、前面１５から突出するように設けられている。さらに、薬液台２１の下方（前面１５の下方部１５Ｂが位置する箇所）には、メンテナンスなどの際に取り外されるメンテナンス用扉２６が設けられている。このメンテナンス用扉２６の内側には、電源ヒューズや、コンプレッサーやエアポンプなどの空気供給源が設けられている。また、メンテナンス用扉２６には、噴霧装置１の本体部に対するメンテナンス用扉２６の固定に用いられるロック機構２６２が設けられている。
【００１５】
図３は、薬液台２１上に置かれる薬液霧発生装置２００を示した図である。
図１では、図示を省略したが、薬液台２１上には、図３にて示す薬液霧発生装置２００が置かれる。この薬液霧発生装置２００は、一端が空気排出部２５に接続されるチューブ２１０と、チューブ２１０からの空気が供給される薬液収容部２２０とから構成されている。
【００１６】
薬液霧発生装置２００では、薬液収容部２２０において、チューブ２１０によって供給されてきた空気が薬液と混合し、薬液が霧状になる。そして、霧状となったこの薬液が、薬液収容部２２０の上部に設けられた２つの排出口２２１から排出される。
なお、図３では、上部の部分が患者の鼻腔に挿入される薬液収容部２２０を一例に説明したが、患者に接する部分がマスク状に形成される薬液収容部２２０も存在する。また、図３では、患者に接する部分と薬液が収容される部分とが一体となった薬液収容部２２０を説明したが、患者に接する部分と薬液が収容される部分とを別体で構成するようにしてもよい。
【００１７】
図４は、ＵＩ２４を説明するための図である。
同図（Ａ）に示すように、ＵＩ２４には、薬液の噴霧の開始や停止がなされる際にユーザにより押圧されるスタート／ストップボタン２４１が設けられている。さらに、中断した噴霧を最初から再び行う際などにユーザにより押圧されるリセットボタン２４２が設けられている。
【００１８】
また、ＵＩ２４には、ＬＥＤなどの点光源２４３Ａが複数設置された点光源群２４３が設けられている。点光源群２４３に含まれる個々の点光源２４３Ａは、噴霧装置１（図１参照）の幅方向に並んでいる
ここで、本実施形態では、薬液の噴霧が開始される際、全ての点光源２４３Ａが点灯される。そして、薬液の噴霧が開始されると、一定の時間が経過する度に、点灯状態にある点光源２４３Ａのうちの右端に位置する点光源２４３Ａが消灯する。付言すると、本実施形態では、時間の経過とともに、点光源群２４３の右端から左端に向かって、点光源２４３Ａが順次消灯するようになっている。
【００１９】
そして、薬液の噴霧が開始されてから、３分など予め定められた時間が経過すると、全ての点光源２４３Ａが消灯する。また、点光源群２４３の図中左側には、終了ランプ２４４が設けられており、上記予め定められた時間が経過すると、この終了ランプ２４４も点灯する。さらに、上記予め定められた時間が経過すると、ブザーが鳴り、また、「終了します」などの音声ガイドがなされる。
【００２０】
さらに、ＵＩ２４では、点光源群２４３よりも図中右側に、エアフィルター（後述）の状態を示す通知手段の一例としてのフィルター用ランプ２４５が設けられている。ここで、本実施形態では、エアフィルターの使用時間が予め定められた一定の時間内にある場合は、フィルター用ランプ２４５が青色で点灯し、エアフィルターの使用時間がこの一定の時間を超えると、フィルター用ランプ２４５がオレンジ色で点灯する。これにより、ユーザは、エアフィルターの状態（交換時期に達したか否か）を知ることができるようになる。
【００２１】
なお、本実施形態では、上記のとおり、点灯した点光源２４３Ａが右端から順に消灯していく場合を一例に説明したが、他の態様の表示を行うこともできる。例えば、複数の絵が並べられて表示されているとともに、この絵が端から順に点灯する表示を行うことができる。この場合、例えば、動物の動作についての表示を行うことができるようになる。具体的には、例えば、動物が歩く際の動作や、鳥類が羽ばたく際の動作などを表示できるようになる。また、上記では、点光源２４３Ａによる点灯表示が円形であったが、矢印などのマークが順次点灯するようにしてもよい。
【００２２】
なお、図４（Ａ）では、いわゆるジェット式のときに用いられるＵＩ２４を示しており、複数種の薬液が用意される薬液式では、図４（Ｂ）に示すように、点光源群２４３の下方に、薬液の選択がなされる際にユーザにより押圧される選択用ボタン２４６が複数設けられる。
薬液式では、霧状の薬液を生成する薬液霧発生装置が薬液の種類分だけ設けられ、複数の薬液霧発生装置が設けられる。また、薬液式では、複数設けられた薬液霧発生装置の何れか一つに空気が供給されるように空気の供給先を切り替える切り替え機構が設けられている。なお、この切り替え機構は、ユーザにより押圧された選択用ボタン２４６に応じて空気の供給先を決定する。
【００２３】
なお、薬液式では、まず、メンテナンス用扉２６の内側に設けられた空気供給源からエアフィルター（後述）へ空気が供給される。次いで、エアフィルターを通過した後の空気が、薬液台２１内に収められた薬液霧発生装置（不図示）に供給される。そして、この薬液霧発生装置において、空気が薬液と混合し、薬液が霧状になる。そして、霧状となったこの薬液は、不図示のチューブによって、例えば空気排出部２５（図１参照）の左横且つＵＩ２４の下方に設けられた排出口（不図示）へ供給される。そして、この薬液は、この排出口を通じ、噴霧装置１の外部に排出される。その後、この薬液は、排出口に接続された不図示のチューブを介し、患者の鼻腔等に供給される。なお、上記排出口は、薬液の種類に応じて複数設けられる。例えば、薬液の種類が３種類ある場合、３個以上の排出口が設けられる。
【００２４】
図５は、噴霧装置１の上面１１（図１参照）に設けられた収容室を上方から眺めた場合の図である。付言すると、図５では、蓋部材２９（図１参照）を取り除いた状態の噴霧装置１を図示している。
収容室５１には、エアフィルター５２が収容されている。このエアフィルター５２は、コンプレッサーなどの空気供給源（図５では不図示）と空気排出部２５とを結ぶ空気流通路上に配置され、空気排出部２５から排出される空気に異物が混入することを防ぐ。
【００２５】
収容室５１には、エアフィルター５２の他に、エアフィルター５２が新たなものに交換された際にユーザにより押圧されるリセットボタン５３が設けられている。本実施形態では、エアフィルター５２の使用時間に基づきエアフィルター５２の寿命を判断しており、このリセットボタン５３が押圧されると、使用時間がゼロに設定される。また、フィルター用ランプ２４５がオレンジ色で点灯している状態にて、リセットボタン５３が押圧されると、フィルター用ランプ２４５が青色で点灯するようになる。
【００２６】
さらに、収容室５１には、ブザーの音量や音声案内の音量の調整に用いられる音量調節用のダイヤル（不図示）と、このダイヤルの取り付けに用いられる取り付け用穴５４が設けられている。また、薬液の噴出時間の変更に用いられる時間変更用ダイヤル（不図示）、この時間変更用ダイヤルの取り付けに用いられる取り付け用穴５５が設けられている。さらに、空気排出部２５から排出される空気の圧力調整に用いられるエアーレギュレータ５６、空気排出部２５から排出される空気の圧力を表示する圧力計５７が設けられている。
【００２７】
なお、収容室５１内に設けられたエアフィルター５２等の各種部材は、メンテナンス用扉２６（図１参照）内に設けてもよいが、収容室５１内に設けた方が、ユーザの作業性が良好となる。エアフィルター５２等がメンテナンス用扉２６内にある場合、ユーザは、薬液台２１の下方にもぐり込む必要があるが、エアフィルター５２等が収容室５１内にある場合、ユーザは、立ったままの状態で作業を行うことができるようになる。
【００２８】
なお、本実施形態では、蓋部材２９（図５では不図示）が閉じられた際、蓋部材２９は、収容室５１の上部に形成された矩形状の開口６７を取り囲む開口縁６８の内側に配置される。また、一部のみ図示を行うが、本実施形態では、収容室５１の側壁（内壁）から突出する突出片６９が設けられており、蓋部材２９が閉じられると、この突出片６９の上に蓋部材２９が載るようになる。これにより、収容室５１内への蓋部材２９の落ち込みが防止される。
【００２９】
図６は、メンテナンス用扉２６（図１参照）の内部の状態を示した図である。
メンテナンス用扉２６の内部には、コンプレッサーやエアポンプなどにより構成される空気供給源、空気供給源の振動を吸収する振動吸収機構、および、空気供給源にて発生した音の吸収を行う吸音箱６４が設けられている。ここで、本実施形態では、空気供給源は、噴霧装置１の下部に設けられており、下部に設けられたこの空気供給源から、上部に位置する空気排出部２５（図１参照）へ空気が供給される。なお、この際、この空気は、上記エアフィルター５２を通過する。
【００３０】
図７は、図６におけるＶＩＩ−ＶＩＩ線における噴霧装置１の断面図である。付言すると、噴霧装置１の上下方向に沿い且つ噴霧装置１に奥行き方向に沿った面における断面図である。
上記のとおり、また、図７に示すように、本実施形態では、空気供給源６２、空気供給源６２にて発生した振動を吸収する振動吸収機構６３、および、空気供給源６２にて発生した音の吸収を行う吸音箱６４が設けられている。
【００３１】
吸音箱６４は、前側壁６４１、後側壁６４２、左側壁６４３、右側壁（不図示）、底板６４４、第１上板６４５、および、第２上板６４６を備えている。本実施形態では、これらの壁部によって、空気供給源６２が覆われ、外部への音の漏れ出しが抑えられている。なお、第１上板６４５と第２上板６４６との間には間隙が形成されており、この間隙を通じ、空気供給源６２にて発生した熱が、吸音箱６４の外へ排出されるようになっている。
【００３２】
図８は、図１にて符号１Ａで示す部分を矢印１Ｃで示す方向（左側面１３が設けられている側）から眺めた場合の図である。付言すると、メンテナンス用扉２６の最下部と噴霧装置１の本体部との接合部を拡大して示した図である。
本実施形態では、図８に示すように、噴霧装置１の本体部側に、円形の貫通孔１Ｄが形成されている。一方で、メンテナンス用扉２６側には、上記貫通孔１Ｄに先端部が入り込みメンテナンス用扉２６の位置決めを行う位置決め部材２６１が設けられている。
【００３３】
ここで、本実施形態では、噴霧装置１の本体部に対してメンテナンス用扉２６が取り付けられる際、貫通孔１Ｄに対して位置決め部材２６１の先端部が入れられる。これにより、メンテナンス用扉２６の下部側が予め定められた箇所に配置されるようになり、メンテナンス用扉２６の上部側の、噴霧装置１の本体部に対する取り付けを行いやすくなる。なお、本実施形態では、位置決め部材２６１のうち、貫通孔１Ｄに入り込む部分を半球状に形成している。また、本実施形態では、ボルトなどの既存の締結部材で位置決め部材２６１を構成している。
【００３４】
なお、位置決め部材２６１および貫通孔１Ｄは、図１の符号１Ｂに示す箇所にも配置されており、メンテナンス用扉２６の幅方向における２箇所にて、噴霧装置１の本体部に対するメンテナンス用扉２６の位置決めが行われる。また、上記では、噴霧用ユニット１０Ａにおけるメンテナンス用扉２６等の構成を説明したが、噴霧用ユニット１０Ｂ，１０Ｃにおけるメンテナンス用扉２６等も、噴霧用ユニット１０Ａにおけるメンテナンス用扉２６等と同様に構成されている。
【００３５】
図９は、収容室５１、および、収容室５１の開口を塞ぐ蓋部材２９を説明するための図である。なお、本実施形態では、噴霧装置１の本体部の上部に対し、図９に示す箱状部材４０を取り付けた構成となっている。そして、本実施形態では、この箱状部材４０の内部が、収容室５１（図５参照）として機能するようになっている。さらに、本実施形態では、この箱状部材４０の上部に、蓋部材２９が取り付けられた構成となっている。
【００３６】
箱状部材４０は、上板４３を備えている。また、箱状部材４０は、底部として機能する下板４４を備えている。さらに、箱状部材４０には、上板４３が設けられている側から下板４４が設けられている側に向かって延びる前側壁４１、後側壁４２が設けられている。付言すると、箱状部材４０には、開口６７（図５参照）が設けられている側から収容室５１の底部が設けられている側に向かって延びる前側壁４１、後側壁４２が設けられている。
【００３７】
ここで、本実施形態では、図９に示すように、蓋部材２９は、板状且つ矩形状に形成されている。さらに、本実施形態では、蓋部材２９に、箱状部材４０への蓋部材２９の固定に用いられるロック機構３０が設けられている。ここで、このロック機構３０には可動片３１が設けられており、この可動片３１を図中上方に持ち上げると、ロック機構３０によるロックが解除されるようになっている。
【００３８】
図１０は、蓋部材２９を持ち上げた後の状態（蓋部材２９を開いた後の状態）を示した図である。
同図に示すように、蓋部材２９を持ち上げると、収容室５１が現れるようになり、これにより、収容室５１内へのアクセスが可能になる。ここで、本実施形態では、蓋部材２９を上方に持ち上げると、蓋部材２９は、蓋部材２９の奥側に取り付けられたヒンジ（蝶番）３２を中心に回転し、蓋部材２９の手前側が上方に向かって移動する。なお、本実施形態では、ヒンジ３２は二つ設けられている。
【００３９】
また、上記では説明を省略したが、本実施形態では、図１０に示すように、ヒンジ３２を介して蓋部材２９の支持を行う支持板金３３が設けられている。
支持板金３３には、長方形状に形成され且つ蓋部材２９の長手方向に沿って配置された板金本体３３Ａが設けられている。この板金本体３３Ａは、突出片４５の上面に取り付けられている。
【００４０】
また、支持板金３３には、上方に向かって突出した第１突出片３３Ｂ、第２突出片３３Ｃが設けられている。第１突出片３３Ｂは、板金本体３３Ａの長手方向における一方の端部により支持され、第２突出片３３Ｃは、板金本体３３Ａの長手方向における他方の端部により支持されている。なお、本実施形態では、図１０に示すように、第１突出片３３Ｂと第２突出片３３Ｃとの間、且つ、蓋部材２９の図中下縁部（外周縁）と板金本体３３Ａとの間に、間隙３３Ｄが形成されている。
【００４１】
ヒンジ３２について説明すると、ヒンジ３２には、収容室５１内に固定される第１の固定片として機能する第１金属板３２Ｂが設けられている。なお、本実施形態では、この第１金属板３２Ｂは、２つ設けられたヒンジ３２に対応して２つ設けられている。そして、本実施形態では、一方の第１金属板３２Ｂが第１突出片３３Ｂに固定され、他方の第１金属板３２Ｂが第２突出片３３Ｃに固定されている。
また、ヒンジ３２には、蓋部材２９に固定される第２の固定片として機能する第２金属板３２Ｃが設けられている。この第２金属板３２Ｃは、回転軸３２Ａを介し第１金属板３２Ｂに接続されている。なお、第１金属板３２Ｂと同様、第２金属板３２Ｃおよび回転軸３２Ａも二つ設けられている。
【００４２】
なお、上記では説明を省略したが、本実施形態の蓋部材２９は、図１０に示すように、蓋部材２９が閉じられている際に収容室５１側に面する内側面２９Ａと、内側面２９Ａとは反対側に位置する外側面２９Ｂとを備えている。そして、本実施形態では、この内側面２９Ａに対し、ヒンジ３２に設けられた第２金属板３２Ｃが固定されている。
ここで、本実施形態では、回転軸３２Ａを中心に第２金属板３２Ｃが回転する。これにより、蓋部材２９も回転軸３２Ａを中心に回転するようになる。
【００４３】
図１１は、本実施形態の噴霧装置１を用いてユーザ（患者）に薬液の噴霧を行う際の状態を示した図である。なお、図１１では、薬液霧発生装置２００の記載を省略している。
本実施の形態の噴霧装置１を用いてユーザ（患者）Ｕに薬液の噴霧を行う際には、ユーザＵは、例えば噴霧装置１の正面に置かれた椅子Ｃに着座していずれかの噴霧用ユニット（ここでは、噴霧ユニット１０Ａ）に対面する。
そして、ユーザＵは、薬液台２１に置かれた薬液霧発生装置２００（図３参照）から薬液の噴霧を受ける。
【００４４】
続いて、図１１および上述した図２等を参照して、本実施形態の噴霧装置１の形状、特に噴霧装置１の前面１５の形状について、詳細に説明する。
上述したように、本実施形態の噴霧装置１の前面１５は、上方（図２において上側、上面１１側）から下方（図２において下側、底面１２側）に向かうように形成された、一つの連続した曲面により構成されている。
具体的には、前面１５は、背面１６との距離が最も大きく噴霧装置１の前方に最も突出した突出部２Ｂを有している。そして、前面１５は、上面１１に接続される最上部から突出部２Ｂに向かうに従い背面１６との距離が大きくなる部位と、突出部２Ｂから底面１２に接続される最下部に向かうに従い背面１６との距離が小さくなる部位とが、連続して設けられている。
【００４５】
このように、本実施形態の噴霧装置１では、前面１５が一つの連続した曲面により構成されることで、本構成を採用しない場合と比較して、噴霧装置１の清掃を行いやすくなっている。
すなわち、噴霧装置１の清掃は、例えば噴霧装置１の外表面を柔らかい布やスポンジ等で払拭することにより行うが、本実施形態の噴霧装置１では、前面１５に凹凸が少ないことで、外表面を払拭する際に、柔らかい布やスポンジ等が凹凸に引っ掛かるのが抑制される。この結果、本実施形態では、本構成を採用しない場合と比較して、噴霧装置１の清掃が行いやすくなっている。
【００４６】
また、本実施形態の噴霧装置１では、前面１５が一つの連続した曲面により構成されることで、前面１５に凹凸が少なくなっている。この結果、本実施形態の噴霧装置１では、本構成を採用しない場合と比較して、例えば凹凸に汚れが溜まるのを抑制することができる。
【００４７】
ここで、噴霧装置１は、例えば耳鼻咽喉科等の医療機関で用いられるものであり、清潔に保たれることが好ましい。本実施形態の噴霧装置１は、上述したように、汚れの蓄積が抑制され、清掃が容易になることで、本構成を有しない場合と比較して清潔さを保つことが容易になる。
【００４８】
さらに、本実施形態の噴霧装置１では、薬液の噴霧を受けるユーザ（患者）が対面する前面１５が一つの連続した曲面により構成されることで、例えば前面１５が平面等で構成される場合と比較して、患者に対して親しみやすく柔らかい印象を与えることができる。
特に、子供等は、医療機関や医療機器等に対して嫌悪感や恐怖感を持ちやすいが、本実施形態の噴霧装置１では、このような子供等に対して親しみやすく柔らかい印象を与えることで、嫌悪感や恐怖感を低減させることが可能である。
【００４９】
また、本実施形態の前面１５は、上述したように、薬液台２１が取り付けられる取り付け部２Ａを境にして、上方に位置する上方部１５Ａと、下方に位置する下方部１５Ｂとに分けることができる。ここで、本実施形態では、突出部２Ｂは、前面１５の下方部１５Ｂに位置する。
【００５０】
前面１５の上方部１５Ａは、上面１１に接続される上方側から取り付け部２Ａに向かうに従い背面１６との距離が大きくなるように設けられる。言い換えると、上方部１５Ａは、取り付け部２Ａから上方に向かうに従い、背面１６との距離が小さくなるように、後方に傾斜して設けられる。
【００５１】
本実施形態では、図２に示すように、前面１５の上方部１５ＡにＵＩ２４が設けられる。そして、ＵＩ２４は、上方部１５Ａの曲面形状に倣って設けられている。これにより、本実施形態では、ＵＩ２４は、上方部１５Ａと同様に、下方から上方に向かうに従い背面１６との距離が短くなるように後方に傾斜している。
ここで、薬液の噴霧を受けている際には、通常、椅子Ｃに着座したユーザＵの頭部は、薬液台２１よりも上方に位置することになる。図１１に示した例では、ユーザＵの頭部は、薬液台２１よりも上方に位置しており、且つ、ユーザＵの目が、前面１５の上方部１５Ａに設けられるＵＩ２４よりも上方に位置している。
【００５２】
これにより、薬液の噴霧を受けるユーザＵは、図１１のＸ１方向に沿って、斜め上方から斜め下方（図中左上から右下に向かう方向）にＵＩ２４を見ることになる。
したがって、本実施形態のように、ＵＩ２４が前面１５の上方部１５Ａに倣って後方に傾斜して設けられることで、例えばＵＩ２４が上方から下方に向かう鉛直方向に沿って設けられるような場合と比較して、薬液の噴霧を受けるユーザＵがＵＩ２４を視認しやすくなっている。これにより、ユーザＵは、本構成を有しない場合と比較して、ＵＩ２４において点光源群２４３（図４参照）や終了ランプ２４４（図４参照）により行われる噴霧時間に関する表示等をより確認しやすくなっている。
【００５３】
また、看護師等のユーザは、例えば、椅子Ｃに着座することなく噴霧装置１の正面（例えば図１１において椅子Ｃが置かれている位置）に立って、ＵＩ２４を見て操作する。このように、噴霧装置１の正面に立った場合であっても、ユーザの頭部は、薬液台２１よりも上方に位置し、斜め上方から斜め下方にＵＩ２４を見ることになる。
したがって、本実施形態の噴霧装置１では、ＵＩ２４が後方に傾斜して設けられることで、ユーザが立った状態であっても、本構成を有しない場合と比較して、ＵＩ２４を視認、操作しやすくなっている。
【００５４】
特に、本実施形態のＵＩ２４では、上述したように、フィルター用ランプ２４５（図４参照）の点灯により、エアフィルター５２（図５参照）の状態を通知しているが、ユーザがＵＩ２４を視認しやすくなることで、ＵＩ２４におけるフィルター用ランプ２４５についても視認しやすくなる。この結果、例えばエアフィルター５２の交換時期が到来したにもかかわらず、フィルター用ランプ２４５による通知に気付かずにエアフィルター５２を交換しないで放置するような事態の発生を抑制することができる。
【００５５】
さらに、本実施形態では、前面１５の上方部１５Ａに、空気排出部２５が設けられている。本実施形態では、上方部１５Ａが後方に傾斜して設けられることで、空気排出部２５は、上方部１５Ａから上方且つ前方（図２において左上方向）に斜めに突出して設けられている。本実施形態では、上述したように、チューブ２１０（図３参照）の端部を空気排出部２５に接続することで、薬液霧発生装置２００（図３参照）を噴霧装置１に取り付ける。
【００５６】
ここで、例えば、空気排出部２５が、薬液台２１が突出する方向（図２において左方向）に沿って水平に突出している場合、空気排出部２５の先端と薬液台２１との距離が近くなりやすい。この結果、空気排出部２５にチューブ２１０を接続する際、チューブ２１０の先端やチューブ２１０を持つユーザの手等と薬液台２１等とが干渉しやすくなり、空気排出部２５に対するチューブ２１０の接続が困難になりやすい。
【００５７】
これに対し、本実施形態のように空気排出部２５が上方且つ前方に斜めに突出して設けられることで、本構成を有しない場合と比較して、空気排出部２５の先端部と薬液台２１との距離が大きくなる。この結果、空気排出部２５にチューブ２１０を接続する際、本構成を採用しない場合と比較して、チューブ２１０の先端やチューブ２１０を持つユーザの手等と薬液台２１等とが干渉しにくくなる。そして、このような場合には、ユーザは、図１１に示すように、空気排出部２５に対して、Ｘ２方向に沿って斜め上方からチューブ２１０を接続することが可能になる。
これにより、本実施形態では、本構成を有しない場合と比較して、空気排出部２５に対するチューブ２１０の取り付け（噴霧装置１に対する薬液霧発生装置２００の取り付け）を容易に行うことができる。
【００５８】
また、上述したように、本実施形態の噴霧装置１では、上面１１には収容室５１（図５参照）が設けられ、収容室５１内には、エアフィルター５２（図５参照）等が収容されている。
ここで、例えばエアフィルター５２等の交換時には、噴霧装置１の正面に立ったユーザは、図１１におけるＸ３方向から腕を伸ばして作業を行うことになる。このような場合においても、本実施形態のように前面１５の上方部１５Ａが後方に傾斜して設けられることで、腕と前面１５（上方部１５Ａ）との干渉が抑制される。
【００５９】
続いて、前面１５の下方部１５Ｂは、取り付け部２Ａから突出部２Ｂに向かうに従い背面１６との距離が大きくなり、突出部２Ｂから底面１２に接続される下方に向かうに従い背面１６との距離が小さくなるように、湾曲した形状を有している。
そして、本実施形態では、前面１５の下方部１５Ｂは、上述した形状を有することで、取り付け部２Ａよりも前方（図２において左側、背面１６から離れる側）に突出して設けられている。
【００６０】
ここで、上述したように、本実施形態では、メンテナンス用扉２６が前面１５の下方部１５Ｂに設けられる。したがって、本実施形態の噴霧装置１では、メンテナンス用扉２６についても、取り付け部２Ａよりも前方に突出して設けられる。
このような構成を有することで、例えばメンテナンス用扉２６が取り付け部２Ａよりも後方側にある場合と比較して、例えばメンテナンス作業を行う際に、メンテナンス用扉２６やメンテナンス用扉２６の内側に収容されるエアポンプ等にアクセスしやすくなる。これにより、本構成を有しない場合と比較して、メンテナンス用扉２６の取り外し作業や、エアポンプ等のメンテナンス作業を容易に行うことが可能になる。
【００６１】
また、本実施形態では、前面１５の下方部１５Ｂにおいて突出部２Ｂよりも下方に位置する部位は、突出部２Ｂから下方に向かうに従い後方（図２において右側、背面１６に近づく側）に傾斜するように設けられている。
これにより、図１１に示すように、例えばユーザＵが薬液の噴霧を受けるに際して椅子Ｃに座った場合に、ユーザＵの前方に足を置くスペース２Ｃが確保され、ユーザの足が噴霧装置１の前面１５にぶつかるのを抑制できる。
特に本実施形態では、上述したメンテナンス用扉２６が取り外し可能に設けられているが、患者の足が前面１５にぶつかるのを抑制できることで、前面１５に設けられたメンテナンス用扉２６が意図せずに外れるのを抑制できる。
【００６２】
なお、本実施形態では、噴霧装置１の前面１５は、連続した曲面で構成されるものとしたが、前面１５の一部に平面が含まれている場合であっても、その形状が連続していれば、本実施形態の「連続した曲面」であるものとする。
また、前面１５の形状が全体として連続した曲面と認識できるものであれば、例えばメンテナンス用扉２６を開閉するための取っ手や、隣接する噴霧用ユニット１０Ａ〜１０Ｃ同士の間を仕切る段差等が、前面１５に設けられていても構わない。
【符号の説明】
【００６３】
１…噴霧装置、１１…上面、１２…底面、１５…前面、１５Ａ…上方部、１５Ｂ…下方部、１６…背面、２１…薬液台、２４…ＵＩ、２５…空気排出部、２６…メンテナンス用扉、２９…蓋部材、２００…薬液霧発生装置
【図１】
2014221174.tif 000003
【図２】
2014221174.tif 000004
【図３】
2014221174.tif 000005
【図４】
2014221174.tif 000006
【図５】
2014221174.tif 000007
【図６】
2014221174.tif 000008
【図７】
2014221174.tif 000009
【図８】
2014221174.tif 000010
【図９】
2014221174.tif 000011
【図１０】
2014221174.tif 000012
【図１１】
2014221174.tif 000013